(57)【要約】【課題】光アシスト磁気記録装置において、高速動作に支障を来たすことなく、消費電力の低減を図る。【解決手段】コントローラ８の指令にて、レーザ駆動回路７は、半導体レーザ５より照射されるレーザ光の再生用パワーを、記録／再生時及び密アクセス時は、磁気ヘッド４にて再生される磁気信号を用いて高精度のトラッキングを行い得る第１レベルとする一方、待機時及び粗アクセス時は、第１レベルよりも低く、上記磁気信号より粗いトラッキングが可能な程度の第２レベルとする。また、コントローラ８の指令にて、反転回路１２は、再生用パワーを第２レベルとした期間は、磁気信号の極性を反転させる。【選択図】　図１
2004111015.tif 000002
【特許請求の範囲】
【請求項１】
記録媒体に光を照射しながら、磁気ヘッドを用いて情報を磁気的に記録及び／又は再生し、かつ、光照射部位より再生される磁気信号をトラッキングに用いる磁気情報装置であって、
磁気信号を再生するために記録媒体に照射される光の強度を切り換える光強度制御手段が設けられていることを特徴とする磁気情報装置。
【請求項２】
記録媒体に光を照射しながら、磁気ヘッドを用いて情報を磁気的に記録及び／又は再生し、かつ、光照射部位より再生される磁気信号をトラッキングに用いる磁気情報装置であって、
磁気信号を再生するために記録媒体に照射される光の強度を、必要なトラッキング精度に応じて切り換える光強度制御手段が設けられていることを特徴とする磁気情報装置。
【請求項３】
記録媒体に光を照射しながら、磁気ヘッドを用いて情報を磁気的に記録及び／又は再生し、かつ、光照射部位より再生される磁気信号をトラッキングに用いる磁気情報装置であって、
磁気信号を再生するために記録媒体に照射される光の強度を、精度の高いトラッキング動作を行い得る第１レベルと、該第１レベルよりも低い第２レベルとに切り換える光強度制御手段が設けられていることを特徴とする磁気情報装置。
【請求項４】
上記光強度制御手段は、サーボマーク領域走査時における光強度を常に第１レベルとし、データ領域走査時における光強度を、記録及び／又は再生時は第１レベル、記録及び／又は再生時以外は上記第１レベルよりも低い第２レベルとすることを特徴とする請求項１〜３のいずれかに記載の磁気情報装置。
【請求項５】
上記光強度制御手段は、ヘッダ領域走査時における光強度を常に第１レベルとし、データ領域走査時における光強度を、記録及び／又は再生時は第１レベル、記録及び／又は再生時以外は上記第１レベルよりも低い第２レベルとすることを特徴とする請求項１〜３のいずれかに記載の磁気情報装置。
【請求項６】
記録媒体に光を照射しながら、磁気ヘッドを用いて情報を磁気的に記録及び／又は再生し、かつ、光照射部位より再生される磁気信号をトラッキングに用いる磁気情報装置であって、
記録及び／又は再生時及び密アクセス時に、光強度を第１レベルとする一方、待機時及び粗アクセス時に、光強度を該第１レベルよりも低い第２レベルとする光強度制御手段が設けられていることを特徴とする磁気情報装置。
【請求項７】
上記光強度制御手段が光強度を第２レベルとしている期間、トラッキングサーボの極性を反転させるサーボ極性反転手段が設けられていることを特徴とする請求項３又は６に記載の磁気情報装置。
【請求項８】
上記光強度制御手段が光強度を第２レベルとしている期間、上記磁気信号の極性を反転する磁気信号反転手段が設けられていることを特徴とする請求項３又は６に記載の磁気情報装置。
【請求項９】
上記光強度制御手段が光強度を第２レベルとしている期間、断続的に光強度を第１レベルに戻す光強度断続復帰手段が設けられていることを特徴とする請求項３、６〜８のいずれかに記載の磁気情報装置。
【請求項１０】
上記光強度制御手段は、サーボマーク領域走査時における光強度を常に第１レベルとすることを特徴とする請求項６に記載の磁気情報装置。
【請求項１１】
上記光強度制御手段は、ヘッダ領域走査時における光強度を常に第１レベルとすることを特徴とする請求項６に記載の磁気情報装置。
【請求項１２】
情報の記録及び／又は再生、及びアクセスを行うための通常動作状態と、上記光強度制御手段にて光強度を第２レベルとしてスティルサーボを行う待機動作状態と、磁気ヘッドを退避させると共に、記録媒体の回転を停止する退避動作状態とを選択する動作状態切換手段が設けられ、
上記動作状態切換手段は、通常動作状態の終了から第１期間内に通常動作の指示が与えられない場合は待機動作状態へと移行し、待機動作状態開始から第２期間内に通常動作の指示が与えられない場合は、退避動作状態へと移行することを特徴とする請求項３〜１１のいずれかに記載の磁気情報装置。
【発明の詳細な説明】
【０００１】
【発明の属する技術分野】
本発明は、磁気ディスク等の記録媒体に対して磁気的に情報を記録／再生する磁気情報装置に関するものであり、より、詳細には、記録媒体に光を照射しながら情報の記録／再生を行う、光アシスト磁気記録装置に関するものである。なお、本明細書において磁気情報装置には、主たるデータ情報を記録再生する装置、主たるデータ情報の再生のみを行う装置、主たるデータ情報の記録のみを行う装置を含む。
【０００２】
【従来の技術】
近年、ますます磁気記録の高密度化が進んでいるが、その手法の一つとして、磁気ディスクに光を照射しながら光が照射された部位に情報を磁気的に記録／再生する、いわゆる光アシスト磁気記録装置が注目を集めている。
【０００３】
光アシスト磁気記録装置に関する先行技術として、例えば特許文献１がある。これには、光アシスト磁気記録装置の記録／再生原理と、そのトラッキング方法とが開示されている。
【０００４】
該文献のトラッキング方法は、レーザ光を光アシスト磁気記録媒体に照射し、その反射光（光磁気信号）よりトラッキング誤差信号を検出する一方、磁気ヘッドで検出した磁気信号からクロックを検出し、このクロックに基づいて上記トラッキング誤差信号をサンプリングして、サンプルサーボを行うといったものである。
【０００５】
この方法によれば、反射光から得られる光磁気信号の変化の感度が、オフトラックに対して高いため、従来の磁気信号を用いたトラッキングサーボに比べて、高精度なトラッキングを行うことができる。
【０００６】
【特許文献１】
特開２００１−３５７６３９号（平成１３年１２月２６日公開）
【０００７】
【発明が解決しようとする課題】
しかしながら、上記公報の構成では、高精度なトラッキングを実現できるものの、常時、トラッキング動作を行っているため、消費電力が大きいという問題点がある。環境破壊による問題がクローズアップされるなか、このような光アシスト磁気記録装置においても、消費電力の削減による省電力化が求められている。
【０００８】
また、一般的なパーソナルコンピュータで使用する従来の磁気情報装置においては、消費電力の削減を実現すべく、記録／再生のコマンドが一定期間以上与えられない場合に、磁気ヘッドを退避して磁気ディスクの回転を停止して、いわゆるスリープ状態に移行する方法が採用されている。パーソナルコンピュータの場合、磁気記情報装置の動作の大半は、記録／再生動作やアクセス動作ではなく、待機動作が占めているので、これにより、待機動作での無駄な電力消費を大幅に抑えることができる。
【０００９】
もちろん、光アシスト磁気記録装置においても、この磁気情報装置に採用されているスリープ状態への移行を採用することにより、消費電力の削減が容易に達成できる。特に、光アシスト磁気記録装置は、従来の磁気情報装置に比べてレーザ駆動のために電力が増加しているため、スリープ状態へ移行させることよる電力削減の効果が大きいことは言うまでもない。
【００１０】
しかしながら、従来の磁気情報装置でも同じであるが、一旦スリープ状態に移行すると、元の動作状態に復帰するのに時間がかかるため動作が遅くなってしまい、高速動作に支障を来たすといった問題点がある。
【００１１】
本発明は、上記課題に鑑み成されたものであって、その目的は、記録媒体に光を照射しながら磁気信号の記録／再生を行う磁気情報装置において、動作速度を遅くすることなく消費電力の削減を実現することにある。
【００１２】
【課題を解決するための手段】
本発明の第１の磁気情報装置は、上記課題を解決するために、記録媒体に光を照射しながら、磁気ヘッドを用いて情報を磁気的に記録及び／又は再生し、かつ、光照射部位より再生される磁気信号をトラッキングに用いる磁気情報装置であって、磁気信号を再生するために記録媒体に照射される光の強度を切り換える光強度制御手段が設けられていることを特徴としている。
【００１３】
記録媒体の所定のトラックに対して情報の記録及び／又は再生（以下、記録／再生と記載する）を行う場合は、正確に所定のトラックを捕らえるために、トラッキングサーボを伴う高い精度のトラッキングが必要である。しかしながら、記録再生を行っていない時（待機時等）は、高い精度のトラッキングは必ずしも必要はなく、例えば、所定のトラックにてスティル動作し得る程度のトラッキング精度でもよい。
【００１４】
そこで、上記構成では、光強度制御手段にて、磁気信号を再生するために記録媒体に照射される光の強度を切り換える構成としており、具体的には、少なくとも、光の強度の強い第１のレベルと該第１レベルよりも弱い第２のレベルとを備え、前記２つのレベルを切り換える構成としている。
【００１５】
ここで、第１レベルとは、第１レベルで光照射されている部位より再生した磁気信号を用いて精密なトラッキングサーボを実施できるような、高Ｓ／Ｎ比の磁気信号を得ることのできる光強度である。一方、第２レベルとは、第２レベルで光照射されている部位より再生した磁気信号が低Ｓ／Ｎ比となってもかまわないから光源の消費電力を抑えるために使用する強度である。第２レベルの強度は、少なくとも第１レベルよりも弱ければ、消費電力を抑えることができる。
【００１６】
このとき、第２レベルの強度によって再生した磁気信号を用いると、精度が低く、粗いトラッキングサーボとなるが、少なくともトラック横断の識別を実施できる。第２レベルは、光を一切照射しないオフレベルであってもよく、また、必要に応じて、オフレベルと、第１レベルより低い光強度とを切り換えて用いてもよい。後述するように、記録媒体の補償点が室温ではない場合には、オフレベルでも低Ｓ／Ｎ比ではあるが磁気信号を得ることできる。
【００１７】
これにより、高い精度のトラッキングが必要な記録／再生時等のみ、光強度を第１レベルとし、待機時等の精度の低いトラッキングでも良い場合は、光強度を第２レベルに引き下げるといった、消費電力の高い精度の高いトラッキングと、消費電力の小さい精度の低いトラッキングとを、必要に応じて選択的に実施することが可能となる。また、第２レベルがオフレベルである場合は、消費電力を最も下げることができる。
【００１８】
その結果、磁気信号を再生するにおいて常に第１レベルで光照射を行い、精度の高いトラッキングを行う構成に比べて、消費電力を効果的に削減することができる。しかも、記録／再生が指示された場合は、光照射を第１レベルに切り換えるだけで、記録／再生動作を行える状態に高速復帰できるので、装置の高速動作に支障を来たすことがない。
【００１９】
なお、以下に記載するものも含め、本発明において光強度制御手段による光の強度の切り換えには、光強度を光量として捉えた、たとえば周波数変調を用いて光量レベルを切り換えるような場合も含んでいる。
【００２０】
また、切り換えるレベルの数は上記例では第１レベルと第２レベルとの２レベルの例を述べているがレベルは２つに限定されるものではなく、２つ以上のレベルであっても良い。
【００２１】
本発明の第２の磁気情報装置は、上記課題を解決するために、記録媒体に光を照射しながら、磁気ヘッドを用いて情報を磁気的に記録及び／又は再生し、かつ、光照射部位より再生される磁気信号をトラッキングに用いる磁気情報装置であって、磁気信号を再生するために記録媒体に照射される光の強度を、必要なトラッキング精度に応じて切り換える光強度制御手段が設けられていることを特徴としている。
【００２２】
本発明の第３の磁気情報装置は、上記課題を解決するために、記録媒体に光を照射しながら、磁気ヘッドを用いて情報を磁気的に記録及び／又は再生し、かつ、光照射部位より再生される磁気信号をトラッキングに用いる磁気情報装置であって、磁気信号を再生するために記録媒体に照射される光の強度を、精度の高いトラッキング動作を行い得る第１レベルと、該第１レベルよりも低い第２レベルとに切り換える光強度制御手段が設けられていることを特徴としている。
【００２３】
記録媒体の所定のトラックに対して情報の記録及び／又は再生（以下、記録／再生と記載する）を行う場合は、正確に所定のトラックを捕らえるために、トラッキングサーボを伴う高い精度のトラッキングが必要である。しかしながら、待機時等は、高い精度のトラッキングは必ずしも必要はなく、例えば、所定のトラックにてスティル動作し得る程度のトラッキング精度でよい。
【００２４】
そこで、上記構成では、光強度制御手段にて、磁気信号を再生するために記録媒体に照射される光の強度を、必要なトラッキング精度に応じて切り換える構成としている。
【００２５】
より具体的には、光強度制御手段にて、磁気信号を再生するために記録媒体に照射される光の強度を、精度の高いトラッキング動作を行い得る第１レベルと、該第１レベルよりも低い第２レベルとに切り換える構成としている。
【００２６】
ここで、第１レベルとは、第１レベルで光照射されている部位より再生した磁気信号を用いて精密なトラッキングサーボを実施できるような、高Ｓ／Ｎ比の磁気信号を得ることのできる光強度である。一方、第２レベルとは、第２レベルで光照射されている部位より再生した磁気信号を用いて、粗いトラッキングサーボであって少なくともトラック横断の識別を実施できる程度の、低Ｓ／Ｎ比の磁気信号を得ることのできる光強度である。第２レベルは、光を一切照射しないオフレベルであってもよく、また、必要に応じて、オフレベルと、第１レベルより低い光強度とを切り換えて用いてもよい。
【００２７】
これにより、高い精度のトラッキングが必要な記録／再生時等のみ、光強度を第１レベルとし、待機時等の精度の低いトラッキングでも良い場合は、光強度を第２レベルに引き下げるといった、消費電力の高い精度の高いトラッキングと、消費電力の小さい精度の低いトラッキングとを、必要に応じて選択的に実施することが可能となる。また、第２レベルがオフレベルである場合は、消費電力を最も下げることができる。
【００２８】
その結果、磁気信号を再生するにおいて常に第１レベルで光照射を行い、精度の高いトラッキングを行う構成に比べて、消費電力を効果的に削減することができる。しかも、記録／再生が指示された場合は、光照射を第１レベルに切り換えるだけで、記録／再生動作を行える状態に高速復帰できるので、装置の高速動作に支障を来たすことがない。
【００２９】
第１〜第３の磁気情報装置においては、さらに、上記構成に加えて、上記光強度制御手段は、サーボマーク領域走査時における光強度を常に第１レベルとし、データ領域走査時における光強度を、記録及び／又は再生時は第１レベル、記録及び／又は再生時以外は上記第１レベルよりも低い第２レベルとすることもできる。
【００３０】
これによれば、サーボマーク領域を常に第１のレベルの光照射によって走査するため、サーボマークを高いＳ／Ｎ比によって読み出すことができる。したがって、常に高い精度のトラッキングを維持することができる。
【００３１】
また、データ領域の走査においては、データの記録再生が必要な場合は、光強度を第１レベルとされるが、データの記録再生が不要な場合は光強度を第２のレベルとして走査するので消費電力を下げることができる。なお、記録時に第１レベルとするのはあくまで磁気信号を再生するためのレベルであり、記録マークを形成するときは、さらに強いレベルに引き上げられることとなる。
【００３２】
そして、複数のサーボ領域によって挟まれたデータ領域の走査時にも、高い精度のトラッキングは維持されているため、データ領域において瞬時にデータの記録再生動作を行うことができる。低い精度のトラッキングが行われている場合は、高い精度のトラッキングに移るまでのサーボ動作に時間がかかり、瞬時に記録再生動作に移れないことはいうまでもない。
【００３３】
また、上記第１〜第３の磁気情報装置においては、さらに、上記構成に加えて、上記光強度制御手段は、ヘッダ領域走査時における光強度を常に第１レベルとし、データ領域走査時における光強度を、記録及び／又は再生時は第１レベル、記録及び／又は再生時以外は上記第１レベルよりも低い第２レベルとすることもできる。
【００３４】
これによれば、ヘッダ領域を常に第１のレベルの光照射によって走査するため、この領域に含まれるサーボマークとアドレス情報を高いＳ／Ｎ比によって読み出すことができる。したがって、常に高い精度のトラッキングを維持することができると共に、常にアドレス情報を再生することができる。
【００３５】
また、データ領域の走査においては、データの記録再生が必要な場合は、光強度を第１レベルとされるが、データの記録再生が不要な場合は光強度を第２のレベルとして走査するので消費電力を下げることができる。なお、記録時に第１レベルとするのはあくまで、磁気信号を再生するためのレベルであり、記録マークを形成するときは、さらに強いレベルに引き上げられることとなる。
【００３６】
そして、複数のヘッダ領域によって挟まれたデータ領域の走査時にも、高い精度のトラッキングが維持されると共に、番地情報が常に再生されているため、番地情報は瞬時に確認でき、データ領域において番地情報を確認しながら瞬時にデータの記録再生動作を行うことができる。番地情報が確認できない場合は、再度番地情報を確認するまでに時間がかかり、瞬時に記録再生動作に移れないことはいうまでもない。
【００３７】
本発明の第４の磁気情報装置は、上記課題を解決するために、記録媒体に光を照射しながら、磁気ヘッドを用いて情報を磁気的に記録及び／又は再生し、かつ、光照射部位より再生される磁気信号をトラッキングに用いる磁気情報装置であって、記録及び／又は再生時及び密アクセス時に、光強度を第１レベルとする一方、待機時及び粗アクセス時に、光強度を該第１レベルよりも低い第２レベルとする光強度制御手段が設けられていることを特徴としている。
【００３８】
待機状態において、記録／再生の指示を受けると、目標トラックにアクセスして記録／再生を行うこととなるが、このアクセス動作は、通常、目標トラックに到達することを目的とした粗アクセスと、粗アクセス後に実施される、目標トラックに精密にアクセスする、トラッキングサーボ及びトラックジャンプを伴う密アクセスとからなる。
【００３９】
そこで、上記構成では、光強度制御手段が、記録／再生時及び密アクセス時に、磁気信号を再生するための光強度を第１レベルとし、待機時及び粗アクセス時には、第２レベルとするようになっている。
【００４０】
これにより、精度の高いトラッキングが必要な記録／再生時と密アクセス時には、光照射が第１レベルで行われて、トラッキングサーボを伴う精度の高いトラッキングを実施でき、また、待機時と粗アクセス時には、光照射が第２レベルで実施されることとなり、効果的に消費電力を削減することができる。
【００４１】
その結果、消費電力の高い精度の高いトラッキングと、消費電力の小さい精度の低いトラッキングとの組み合わせを最適化して、動作速度を遅くすることなく消費電力の削減をより効果的に実現することができる。
【００４２】
本発明の第３、第４の磁気情報装置は、さらに、上記構成に加えて、上記光強度制御手段が光強度を第２レベルとしている期間、トラッキングサーボの極性を反転させるサーボ極性反転手段が設けられていることを特徴とすることもできる。
【００４３】
記録媒体が、補償温度が室温よりも高い磁性体を用いたものである場合、トラッキングサーボの極性は、第１レベルで光照射が行われ、光照射部位の温度が補償温度より高くなった状態で再生された磁気信号より得られるトラッキング誤差信号を負帰還させて、フィードバック制御するように設計されている。そのため、光照射を第２レベルで行った場合、光照射部位の温度が補償温度より低下する結果、磁化方向が第１レベルの磁化方向とは逆転してしまい、磁化方向の逆転に伴って、磁気信号の極性も逆転してしまう。このような状態では、磁気信号より得るトラッキング誤差信号は正帰還となり、正常なトラッキングを行えない。
【００４４】
そこで、上記構成では、サーボ極性反転手段にて、上記光強度制御手段が光強度を第２レベルとしている期間は、トラッキングサーボの極性を反転させるようになっている。
【００４５】
これにより、第２レベルで光照射され、補償温度より低い部位より再生した磁気信号より得たトラッキング誤差信号であっても、サーボ極性を切り換えることで、常に負帰還させることができ、正常なトラッキングを行うことができる。
【００４６】
本発明の第３、第４の磁気情報装置は、さらに、上記構成に加えて、上記光強度制御手段が光強度を第２レベルとしている期間、上記磁気信号の極性を反転する磁気信号反転手段が設けられていることを特徴とすることもできる。
【００４７】
上述したように、記録媒体が、補償温度が室温よりも高い磁性体を用いたものである場合、第２レベルの光照射で再生した磁気信号よりそのままトラッキング誤差信号を得て帰還させると、トラッキング誤差信号が正帰還となり、正常なトラッキングが行えなくなる。
【００４８】
そこで、上記構成では、磁気信号反転手段にて、上記光強度制御手段が光強度を第２レベルとしている間は、磁気信号の極性を反転させるようになっている。
【００４９】
これにより、第２レベルで光照射され、補償温度より低い部位より再生した磁気信号であっても、磁気信号の極性を反転させることで、容易にトラッキングサーボの極性を反転することができ、トラッキング誤差信号を負帰還させて正常なトラッキングを行うことができる。
【００５０】
また、磁気信号を反転させることで、磁気信号に含まれる情報を読み取ったデータ信号の極性を正常に戻すことができる。したがって、第２レベルで光照射されている部位より再生した磁気信号であって、低Ｓ／Ｎ比であるが故に番地情報やデータの再生はできなくとも、セクタマークの検出や、クロック抽出のためのＰＬＬ（Ｐｈａｓｅ　Ｌｏｃｋｅｄ　Ｌｏｏｐ）のロック動作を維持することはできる。
【００５１】
本発明の第３、第４の磁気情報装置においては、さらに、上記構成に加えて、上記光強度制御手段が光強度を第２レベルとしている期間、断続的に光強度を第１レベルに戻す光強度断続復帰手段が設けられていることを特徴とすることもできる。
【００５２】
これによれば、光強度断続復帰手段にて、光強度制御手段が光強度を第２レベルとしている期間も、断続的に光強度が第１レベルに戻される。したがって、断続的に第１レベルに戻された際の再生されたＳ／Ｎ比の高い磁気信号より、番地情報を読み取るなどが可能となり、光強度を第２レベルで推移させている省電力期間においても、高精度のトラッキングを実施することができる。つまり、省電力期間に、トラック跳びが生じても、断続的に得られる高Ｓ／Ｎ比の磁気信号より、番地情報を確認する等して速やかに元のトラックに復帰することができる。
【００５３】
これにより、消費電量を削減しながら、記録／再生が指示された場合に、より高速に記録／再生動作に復帰することができる。
【００５４】
本発明の第４の磁気情報装置においては、さらに、上記構成に加えて、上記光強度制御手段は、サーボマーク領域走査時における光強度を常に第１レベルとすることを特徴とすることもできる。
【００５５】
これによれば、サーボマーク領域を常に第１のレベルの光照射によって走査するため、サーボマークを高いＳ／Ｎ比によって読み出すことができる。したがって、光強度が第２レベルに落とされる待機時及び粗アクセス時においても、サーボマークだけは第１レベルの光照射によって読み出されるので、常に高い精度のトラッキングを維持することができる。
【００５６】
そして、複数のサーボ領域によって挟まれたデータ領域の走査時にも、高い精度のトラッキングは維持されている。このため、データ領域において瞬時にデータの記録再生動作を行うことができる。低い精度のトラッキングが行われている場合は、高い精度のトラッキングに移るまでのサーボ動作に時間がかかり、瞬時に記録再生動作に移れないことはいうまでもない。
【００５７】
本発明の第４の磁気情報装置においては、さらに、上記構成に加えて、上記光強度制御手段は、ヘッダ領域走査時における光強度を常に第１レベルとすることを特徴とすることもできる。
【００５８】
これによれば、ヘッダ領域を常に第１のレベルの光照射によって走査するため、サーボマークとアドレス情報とを高いＳ／Ｎ比によって読み出すことができる。したがって、光強度が第２レベルに落とされる待機時及び粗アクセス時においても、ヘッダ領域だけは第１レベルの光照射によって読み出されるので、常に高い精度のトラッキングを維持することができると共に、常にアドレス情報を再生することができる。
【００５９】
そして、複数のヘッダ領域によって挟まれたデータ領域の走査時にも、高い精度のトラッキングが維持されると共に、番地情報が常に再生されているため、番地情報は瞬時に確認でき、データ領域において番地情報を確認しながら瞬時にデータの記録再生動作を行うことができる。番地情報が確認できない場合は、再度番地情報を確認するまでに時間がかかり、瞬時に記録再生動作に移れないことはいうまでもない。
【００６０】
本発明の第３、第４の磁気情報装置は、さらに、上記構成に加えて、情報の記録及び／又は再生、及びアクセスを行うための通常動作状態と、上記光強度制御手段にて光強度を第２レベルとしてスティルサーボを行う待機動作状態と、磁気ヘッドを退避させると共に、記録媒体の回転を停止する退避動作状態とを選択する動作状態切換手段が設けられ、上記動作状態切換手段は、通常動作状態の終了から第１期間内に通常動作の指示が与えられない場合は待機動作状態へと移行し、待機動作状態開始から第２期間内に通常動作の指示が与えられない場合は、退避動作状態へと移行することを特徴とすることもできる。
【００６１】
これによれば、動作状態切換手段が、情報の記録／再生及びアクセスを行うための通常動作状態が終了してから、通常動作の指示が与えられないまま所定の期間（第１期間）が経過すると、光強度を第２レベルとしてスティルサーボを行う待機動作状態に移行させる。そして、待機動作状態に移行してからも、さらに通常動作の指示が与えられないまま所定の期間（第２期間）が過ぎると、磁気ヘッドを退避させると共に、記録媒体の回転を停止する退避動作、いわゆるスリープ状態へと移行させる。
【００６２】
したがって、照射光の光強度を低下させることによる消費電力の削減に加えて、通常動作の指示が長い間与えられない場合に、さらに磁気ヘッドを退避して、記録媒体の回転をも停止させる完全なスリープ状態に移行することにより、消費電力をさらに削減することができる。
【００６３】
もちろん、上述したように、スリープ状態に移行した場合、通常動作への復帰が遅くなるが、第２期間をユーザの仕様に合った適切な値に設定することで、高速動作に対して支障を来たすことなく、効果的な省電力化が図れる。
【００６４】
また、本発明は、以下のように表現することもできる。
【００６５】
つまり、本発明は、磁気ディスクに光を照射する光照射手段と、上記磁気ディスクにおいて光が照射された部位から磁気信号を再生する磁気再生手段と、該磁気再生手段によって再生された信号を入力してトラッキングを行うトラッキング手段とを備えた光アシスト磁気記録装置において、情報記録／再生時或いは密アクセス時には上記光照射手段から光を照射し、待機時或いは粗アクセス時には上記光照射手段からの光をオフするか或いは情報記録／再生時或いは密アクセス時よりも光の強度を下げる光強度制御手段を備えることを特徴とする。
【００６６】
これにより、待機時と粗アクセス時にレーザのオフ或いは強度の低下により、消費電力を抑えることができる。一方、磁気ヘッドから得られる磁気信号を使用して、待機時は粗トラッキングを行う。このとき、粗トラッキング動作におけるＳ／Ｎ比が低下するが、データの記録／再生を行うことはないため、必要最低限の粗いトラッキングによって、目的のトラック上でのスティル動作を行えばよい。これにより、記録／再生のコマンドを受けた場合は、速やかにレーザをオンして、データの記録／再生の動作を行うことができる。つまり、レーザ駆動のための電力を削減すると共に、高速で元の記録／再生動作に復帰することが可能である。
【００６７】
本発明は、磁気ディスクに光を照射する光照射手段と、上記磁気ディスクにおいて光が照射された部位から磁気信号を再生する磁気再生手段と、該磁気再生手段によって再生された信号を入力してトラッキングを行うトラッキング手段とを備えた光アシスト磁気記録装置において、光照射手段からの光をオンまたはオフするか、或いは光の強度を上下する光強度制御手段と、トラッキングサーボの極性を反転するサーボ反転手段とを備え、上記光照射手段による光のオフ或いは強度を下げているときは、上記サーボ反転手段によってサーボ極性を反転することを特徴とする。
【００６８】
これにより、補償温度が室温よりも高い磁性体を使用した光アシスト磁気記録媒体を使用した場合に、トラッキング誤差信号の反転による、正帰還を負帰還に切り換えることができ、正常のトラッキングサーボを行うことができる。つまり、レーザ光をオフ或いは強度を下げると、照射部位の記録媒体の温度が補償温度以下となり、読み出される磁気信号が逆転するため、フィードバック信号の極性を反転することで正常にサーボを行うことができる。
【００６９】
本発明は、磁気ディスクに光を照射する光照射手段と、上記磁気ディスクにおいて光が照射された部位から磁気信号を再生する磁気再生手段とを備えた光アシスト磁気記録装置において、光照射手段からの光をオンまたはオフするか、或いは光の強度を上限する光強度制御手段と、上記磁気信号の極性を反転する磁気信号反転手段とを備え、上記光照射手段による光のオフ或いは強度を下げているときは、上記磁気信号反転手段によって信号の極性を反転することを特徴とする。
【００７０】
これにより、読み出される磁気信号の反転によって、容易にサーボの極性を反転することができ、上記と同様に正帰還を負帰還に切り換えることができ、正常のトラッキングサーボを行うことができる。また、磁気信号に含まれるデータ信号の極性を正常に戻すことができ、データの再生が可能となる。
【００７１】
本発明は、上記構成に加えて、上記磁気信号再生手段は、番地情報を再生する番地情報再生手段を備え、上記光照射手段による光のオフ或いは強度を下げている時は、断続的に光の強度を上げ、上記番地再生手段により番地情報を再生することを特徴とする。
【００７２】
これにより、トラッキング動作におけるＳ／Ｎ比の低下によって、待機時にもしトラック跳びが生じても、定期的にレーザ光の強度を上げてＳ／Ｎ比を上げることにより番地情報を確認するため、元のトラックに復帰することができる。
【００７３】
本発明は、上記構成に加えて、上記情報記録／再生やアクセスを行うための通常動作状態と、上記光照射手段による光のオフ或いは強度を下げてスティルサーボを行う待機状態と、ヘッドを磁気ディスク上から退避して磁気ディスクの回転を止める退避状態とを選択する制御手段を備え、上記通常動作状態終了から第１の期間内に通常動作コマンドが与えられない場合は上記待機状態へ移行し、上記待機状態開始から第２の期間内に通常動作コマンドが与えられない場合は上記退避状態へ移行することを特徴とする。
【００７４】
これにより、光のオフ或いは強度の低下による消費電力の削減に加えて、通常動作コマンドが長い間与えられない場合に、さらに磁気ヘッドを退避して完全なスリープ状態に移行することにより、消費電力をさらに削減することができる。
【００７５】
【発明の実施の形態】
〔実施の形態１〕
本発明の実施の形態１について、図１〜図５を用いて以下に説明する。
【００７６】
図１は、本実施の形態における情報記録装置である光アシスト磁気記録装置の構成を示すブロック図である。
【００７７】
光アシスト磁気記録装置は、半導体レーザ５と磁気ヘッド４とを、スライダ３に搭載された状態で備えている。スライダ３は、記録媒体である光アシスト磁気ディスク２上を滑走するもので、アクチュエータ６にて駆動されるサスペンション１に支持されている。
【００７８】
上記磁気ヘッド４及び半導体レーザ５は、該サスペンション１がアクチュエータ６によって駆動されることで、光アシスト磁気ディスク２に対してアクセスしたり、トラッキングしたりするようになっている。上記アクセスには、トラッキングサーボ及びトラックジャンプを伴う精度の高い精密な密アクセスと、横切るトラック数をカウントして（トラックカウント）、所望のトラックへとアクセスする精度の低い粗アクセスとがある。
【００７９】
上記アクチュエータ６の駆動は、アクセス回路９によって制御される。アクセス回路９は、後述するコントロール８からの指令によって、アクセス時、つまり、粗アクセス時と密アクセス時とにアクチュエータ６の駆動を制御して、上記半導体レーザ５及び磁気ヘッド４を、光アシスト磁気ディスク２における所望のトラックにアクセスさせる。
【００８０】
また、アクチュエータ６は、アクセス回路９とは別に、後述するサーボ回路１３からのトラッキング誤差信号が帰還入力されることで、上記磁気ヘッド４及び半導体レーザ５を、目標トラックに追従させるトラッキングサーボを実施する。
【００８１】
一方、上記半導体レーザ５は、光アシスト磁気ディスク２に対してレーザ光を照射するものである。このような半導体レーザ５の駆動は、レーザ駆動回路７によって制御される。
【００８２】
レーザ駆動回路７は、後述するコントローラ８からの指令によって、半導体レーザ５の駆動を制御する。詳細には、レーザ駆動回路７は、後述する記録マークを形成する間は、半導体レーザ５における光強度（以下、パワーと称す）を、記録マークを形成するための強い記録用パワーとする。それ以外は、記録用レーザよりも低い磁気信号を再生するための再生用パワーとする。
【００８３】
そして、ここで注目すべき点は、レーザ光照射による消費電力を削減するために、本光アシスト磁気記録装置では、レーザ駆動回路７が、上記再生用パワーを、常に一定パワーとするのではなく、必要とされるトラッキングの精度に応じてパワーを分けている点である。
【００８４】
つまり、半導体レーザ５からの照射光のパワーを、記録／再生時及び密アクセス時は、トラッキングサーボを実施でき、再生される磁気信号のＳ／Ｎ比が高い第１レベルとする一方、待機時及び粗アクセス時は、第１レベルよりも低パワーで、再生される磁気信号のＳ／Ｎ比も低い第２レベルとするようになっている。これにより、半導体レーザ５にて消費される電力を削減することができる。なお、第２レベルとしては、レーザ光を一切出射しないオフレベルも含み、また、オフレベルと第１レベルよりも低いパワーとを、必要に応じてさらに分けて用いてもよい。
【００８５】
例えば、補償温度が室温付近にある記録媒体を使用する場合は、レーザ光をオフレベルとすると磁気信号がほとんど得られなくなる。この記録媒体には、粗いトラッキングサーボを行うための磁気信号を得られる程度にパワーを上げる必要がある。これは、例えば第２レベルのパワーである。一方、補償温度が室温よりも高いか或いは低い媒体の場合は、第２レベルのパワーがオフレベル（レーザオフ）によっても磁気信号が得られる。さらに、補償温度が室温よりも高く、第２レベルのパワーの照射領域の温度が室温（オフレベル）から補償温度の間にある場合は、後述するように読み出された磁気信号の極性が、第１レベルのパワーを照射した場合に比べて、反転する。
【００８６】
磁気ヘッド４は、光アシスト磁気ディスク２に対して、情報を記録マークとして磁気的に書き込むものである。詳細には、磁気ヘッド４は、半導体レーザ５から記録用パワーで照射されるレーザ光にて温度が上昇している部位に情報を書き込む。磁気ヘッド４には、記録回路１０より記録電流が送られ、この記録電流に応じた記録マークが光アシスト磁気ディスク２に形成される。
【００８７】
また、磁気ヘッド４は、光アシスト磁気ディスク２に記録マークとして磁気的に記録されている情報を、漏洩磁場を検出することで読み出すものである。詳細には、半導体レーザ５から再生用パワー（第１レベル或いは第２レベル）で光照射されている部位より情報を読み出す。磁気ヘッド４にて読み出された磁気信号、つまり、光アシスト磁気ディスク２の記録マークに応じた読み出し信号は、アンプ１１を介して反転回路１２に入力される。
【００８８】
反転回路１２は、後述するコントローラ８からの指令によって、その動作が制御される。反転回路１２は、半導体レーザ５の再生用パワーが高パワーの第１レベルとされている、記録／再生時及び密アクセス時は、アンプ１１からの読み出し信号を反転せずに正転のままサーボ回路１３と再生回路１４とに送るようになっている。また、反転回路１２は、半導体レーザ５の再生用パワーが低パワーの第２レベルとされている、待機時及び粗アクセス時は、アンプ１１からの読み出し信号を反転せずに正転のままサーボ回路１３と再生回路１４とに送るようになっている。なお、反転回路１２を設けて磁気信号を反転させることが必要となる理由については後述する。
【００８９】
サーボ回路１３は、反転回路１２からの読み出し信号（磁気信号）に基づいてトラッキング誤差信号を生成し、前述のアクチュエータ６に負帰還させて、フィードバック制御するようになっている。
【００９０】
再生回路１４は、反転回路１２からの読み出し信号に基づいて番地情報とデータを再生するようになっている。再生された番地情報は後述するコントローラ８に送られる。
【００９１】
コントローラ８は、再生回路１４より送られてくる番地情報を確認しながら、アクセス回路９へ指令を出して、磁気ヘッド４及び半導体レーザ５をアクセスさせるものである。また、コントローラ８は、上記したように、レーザ駆動回路７に指令を出して、再生用パワーのレベルを第１レベルと第２レベルとに切り換えるものである（光強度制御手段としての機能）。さらに、コントローラ８は、再生用パワーのレベルに応じて、反転回路１２の動作を制御して、読み出し信号の極性を反転／正転させ、これにより、再生回路１４において常に正常な番地情報とデータの再生が行われるように制御し、かつ、サーボ回路１３で生成されるトラッキング誤差信号が、常に負帰還でアクセス回路に戻るように制御するものである（サーボ極性反転手段及び磁気信号反転手段としての機能）。
【００９２】
次に、図２のフローチャートを用いて、図１の光アシスト磁気記録装置の動作を説明する。
【００９３】
装置の動作が開始されると（Ｓ１）、コントローラ８は、まず、アクセス動作に移るか否かを判断する（Ｓ２）。ここで、アクセス動作に移ると判断すると、次に、該アクセスが粗アクセスかどうかを判断する（Ｓ３）。
【００９４】
そして、粗アクセスと判断すれば、コントローラ８は、レーザ駆動回路７と反転回路１２とに指令を与えて、半導体レーザ５の再生用パワーを記録／再生時の第１レベルよりも低い第２レベルとし（Ｓ５）、また、サーボ極性を反転させ（Ｓ６）、粗アクセスを行う（Ｓ７）。
【００９５】
このとき、半導体レーザ５のパワーが低パワーの第２レベルとされることで、磁気信号のＳ／Ｎ比が低下する。しかしながら、トラッキングサーボを行うわけではないので支障は無く、また、粗アクセスのためのトラックカウントを行う程度のＳ／Ｎ比は確保されているので、粗アクセスは実施できる。そして、万一、トラックカウントに誤差が生じても、後に行われる密アクセスにて目標のトラックに正確にアクセスすることができる。
【００９６】
一方、Ｓ３において、粗アクセスでないと判断すれば、精密な密アクセスを行うために、コントローラ８は、レーザ駆動回路７と反転回路１２とに指令を与えて、半導体レーザ５の再生用パワーを記録／再生時のＳ／Ｎ比の高い第１レベルにすると共に（Ｓ８）、サーボ極性を正転として（Ｓ９）、密アクセスを行う（Ｓ１０）。これにより、トラックカウントの精度も上がり、番地情報も正確に読み出せるため、目標のトラックにアクセスすることができる。
【００９７】
一方、Ｓ２において、アクセス動作に移らないと判断した場合は、Ｓ４に移行して、待機状態か否かを判断する。
【００９８】
ここで、待機状態であると判断すれば（Ｓ４）、コントローラ８は、粗アクセスの場合と同様に、レーザ駆動回路７と反転回路１２とに指令を与えて、半導体レーザ５の再生用パワーを記録／再生時の第１レベルよりも低い第２レベルとし（Ｓ１１）、また、サーボ極性を反転させ（Ｓ１２）、磁気信号のみによって同一トラック上で粗いトラッキングを行いながらスティル動作（スティルサーボ）を続ける（Ｓ１３）。このときも、粗アクセス時と同様に、読み出し信号（磁気信号）のＳ／Ｎ比が低く、記録／再生は不可能であるが、同一トラック上を粗くスティルするためのサーボ信号を得ることは可能である。
【００９９】
また、Ｓ２において、待機状態でないと判断すれば（つまり、アクセスでもなく待機状態でもない場合）、情報の記録／再生動作として、コントローラ８は、密アクセス時と同様に、レーザ駆動回路７と反転回路１２とに指令を与えて、半導体レーザ５の再生用パワーを、Ｓ／Ｎ比の高い第１レベルとし（Ｓ１４）、サーボ極性を正転として（Ｓ１５）、情報の記録／再生を行う（Ｓ１６）。これにより、精度の良いトラッキングにて、番地情報も正確に読み出しながら、データ信号を正確に記録／再生できる。
【０１００】
なお、ここではＳ１６として、記録／再生をまとめて記載したが、詳細には、記録であれば、記録マークを形成する間のみ、半導体レーザ５からの照射光のパワーは、再生用パワーの第１レベルよりもさらに高い記録用パワーに切り換えられる。
【０１０１】
このようにして、粗アクセス（Ｓ７）、密アクセス（Ｓ１０）、スティル動作（Ｓ１３）、記録／再生（Ｓ１６）の４つの各動作を行った後、コントローラ８は、光アシスト磁気記録装置の終了が指示されたかどうかを判断する（Ｓ１７）。ここで、終了が指示されていると判断すると、装置の動作を終了する（Ｓ１８）。一方、Ｓ１７において、終了が指示されていない場合は、Ｓ２のアクセス動作に移るか否かを判断するステップに戻る。
【０１０２】
このように、本光アシスト磁気記録装置では、密アクセス（Ｓ１０）と、記録／再生時（Ｓ１６）とにおいては、半導体レーザ５の再生用パワーは、従来のように高いままであるが、粗アクセス（Ｓ７）と待機時（スティル動作時）（Ｓ１３）とにおいては、半導体レーザ５の再生用パワーが第２レベルに低下されるため、消費電力を低減することができる。
【０１０３】
また、光ディスク装置に比べて本光アシスト磁気記録装置は、半導体レーザ５の出射パワーが高いため、発熱や劣化が急速に進み易いが、本光アシスト磁気記録装置によれば、半導体レーザ５の再生用パワーを第２レベルとして、オフしたり低下させたりする機会が増えるため、半導体レーザ５の発熱や劣化を抑えた信頼性の高い装置を提供することができる。
【０１０４】
次に、図３〜図５を用いて、図１の本光アシスト磁気記録装置において、反転回路１２が設けられている理由について説明する。
【０１０５】
図３は、光アシスト磁気ディスク２における、あるトラックに形成されているサーボマーク２０ａ・２０ｂと記録マーク２１…とを示す説明図である。また、図４、図５は共に、光アシスト磁気記録装置における光アシスト磁気ディスク２からの読み出し信号を説明する図である。
【０１０６】
図３に示すように、２つのサーボマーク２０ａ・２０ｂは、トラックの中心線（破線）２２に沿って左右対称に記録され、記録マーク２１…はトラックの中心線２２上に記録される。
【０１０７】
再生用パワーが高い第１レベルのときは、サーボマーク２０ａ・２０ｂと記録マーク２１…からの読み出し信号は、図４（ａ）（ｂ）に示す波形となる。
【０１０８】
図４（ａ）は、オントラック時のもので、２つのサーボマーク２０ａ・２０ｂからの読み出し波形のピークは同一である。しかしながら、オフトラック時は、図４（ｂ）に示すように、２つのサーボマーク２０ａ・２０ｂからの読み出し波形のピークが異なる。
【０１０９】
図４（ｂ）の状態は、図３において上部方向にオフトラックしたものであって、先頭のサーボマーク２０ａからの波形ピークは増加し、後続のサーボマーク２０ｂからの波形ピークは逆に下がる。なお、逆方向にオフトラックすると（図３中の下部方向）、波形ピークの大小関係は逆転する。
【０１１０】
したがって、図中、ＶＴＥＳで表す波形ピークの差をトラッキング誤差信号としてアクチュエータ６にフィードバックすることによりトラッキングサーボを行うことができる。これは、一般に知られているサンプルサーボ法と同じ原理である。
【０１１１】
これに対し、再生用パワーが第１レベルより低く設定されている第２レベルとなると、サーボマーク２０ａ・２０ｂと記録マーク２１…からの読み出し信号は、図５（ａ）（ｂ）に示す波形となる。
【０１１２】
光アシスト磁気ディスク２が、補償温度を室温以上とする磁性体を使った光アシスト磁気ディスクである場合、再生用パワーが第２レベルの場合、光の照射部位の温度が補償温度よりも下がることがある。
【０１１３】
光の照射部位の温度が補償温度よりも下がると、図３に示したサーボマーク２０ａ・２０ｂと記録マーク２１…に対し、同じ記録状態であっても、読み出し時に発生する磁化方向が逆転する。その結果、図５（ａ）（ｂ）に示すように、磁化方向の逆転に伴って、サーボマーク２０ａ・２０ｂと記録マーク２１…とからの読み出し信号の極性も逆転する。
【０１１４】
したがって、波形ピークの差も、図中−ＶＴＥＳで示すように、正負が逆転する。そのため、この−ＶＴＥＳをそのままトラッキング誤差信号として扱い、再生用パワーが第１レベルである場合と同様に帰還させてトラッキングサーボを行うと、正帰還となり、正常なトラッキングを行うことができない。
【０１１５】
そこで、上記したように、本光アシスト磁気記録装置では、半導体レーザ５の再生用パワーが高パワーの第１レベルの場合は、反転回路１２にて上述のようにサーボの極性或いは読み出し信号の極性をそのままに維持し（正転）、半導体レーザ５の再生用パワーが低パワーの第２レベルの場合は、反転回路１２にて上述のように、サーボの極性或いは読み出し信号の極性を反転させるようになっている。
【０１１６】
これにより、本光アシスト磁気ディスク２では、半導体レーザ５の再生用パワーを、通常の第１レベルよりも引き下げて第２レベルとしても、正常にトラッキング誤差信号を負帰還させて、トラッキングサーボを行うことが可能となる。
【０１１７】
また、ここでは、トラッキングサーボの極性のみを反転させるのではなく、読み出し信号である磁気信号の極性を反転させているので、読み出し信号の極性が、再生用パワーのレベルに関係なく常に同一となり正常な読み出しも可能である。なお、この場合、Ｓ／Ｎ比が下がるため、番地情報や情報本体であるデータを正確に再生できないが、セクタマークの検出や、クロック抽出のためのＰＬＬのクロック動作を維持することは可能である。
【０１１８】
また、本実施の形態では、粗アクセスや待機状態の場合に、再生用パワーを第２レベルに引き下げるとしたが、このような場合に限らず、必要に応じて再生用パワーをオフする或いはパワーを下げる場合にも、サーボの極性或いは読み出し信号の極性を反転すればよい。
【０１１９】
なお、記録媒体の補償温度が室温に近い場合は、第２レベルのレーザ光の照射部位の温度は補償点よりも下がることはない。そのため、上述の極性反転は不要である。極性反転が必要な場合は、記録媒体の補償温度が室温よりも高い場合であって、かつレーザ光がオフレベルか、或いは第２レベルのレーザ光の照射領域の温度が補償温度よりも低い場合である。
【０１２０】
また、消費電力を下げる観点では、記録媒体の補償温度が室温付近の場合はレーザ光のパワーを第２レベルとし、補償温度が室温よりも高いか低い場合はレーザ光をオフレベルとするのが好ましい。しかし、いずれも粗いトラッキングサーボを行える程度の磁気信号が必要であり、このためには第２レベルのパワーは補償温度に応じて適宜決定されるものである。
【０１２１】
また、本光アシスト磁気ディスク２では、待機中は、再生用パワーを第２レベルとして、磁気信号のみによって同一トラック上で粗いトラッキングを行いながらスティル動作を続け、待機動作から、密アクセスや記録／再生動作に移行する時は、再生用パワーを第１レベルに引き上げて、磁気信号の極性を反転するだけで（或いはサーボ極性を反転するだけで）、復帰することができるので、高速な応答が可能な装置となっている。
【０１２２】
〔実施の形態２〕
本発明の他の実施の形態について、図６のフローチャートを用いて以下に説明する。なお、説明の便宜上、実施の形態１で用いたと同じ機能を有する部材には同じ符号を付して説明を省略する。
【０１２３】
本実施の形態の光アシスト磁気記録装置は、実施の形態１の光アシスト磁気記録装置と構成的にはほぼ同一である。異なる点は、コントローラ８に、本発明における動作状態切換手段としての機能が追加されている点である。
【０１２４】
本光アシスト磁気記録装置の動作を、図６のフローチャートを用いて説明する。
【０１２５】
装置の動作が開始されると（Ｓ２１）、コントローラ８は、まず、アクセス動作或いは記録／再生動作に移るか否か、つまり、アクセス或いは記録／再生のコマンド（指令・指示）を受けたか否かを判断する（Ｓ２２）。
【０１２６】
ここで、コマンドを受けたと判断すると、次に、コントローラ８は、レーザ駆動回路７に指令を出して、半導体レーザ５の再生用パワーを第１レベルにする（Ｓ２３）。そして、これに伴い、コントローラ８は、反転回路１２に指令を与えて、サーボ極性を正転として（Ｓ２４）、アクセスや記録／再生を行う（Ｓ２５）。
【０１２７】
半導体レーザ５の再生用パワーを高パワーの第１レベルとすることで、磁気ヘッド４にて再生される磁気信号のＳ／Ｎ比が上がり、アクセス時は、これにて、トラックカウントの精度も上がり、番地情報も正確に読み出せるため、目標のトラックにアクセスすることができる。また、記録／再生動作においては、磁気信号の極性を正転して（極性を元に戻して）、データ信号を正確に記録／再生することができる。
【０１２８】
なお、ここでもＳ２５として、記録／再生をまとめて記載したが、詳細には、記録であれば、記録マークを形成する間のみ、半導体レーザ５からの照射光のパワーは、再生用パワーの第１レベルよりもさらに高い記録用パワーに切り換えられる。
【０１２９】
そのあと、コントローラ８は、光アシスト磁気記録装置の終了が指示されたかどうかを判断する（Ｓ２６）。ここで、終了が指示されていると判断すると、装置の動作を終了する（Ｓ２７）。一方、Ｓ２６において、終了が指示されていない場合は、Ｓ２２のアクセス或いは記録／再生動作に移るか否かを判断するステップに戻る。
【０１３０】
一方、Ｓ２２において、アクセス或いは記録／再生動作に移らないと判断した場合は、コントローラ８は、スティル動作（待機動作）へと移行させる（Ｓ２８）。
【０１３１】
次に、待機動作に入って所定の時間（第１期間）を経過したか否かを判断し（Ｓ２９）、経過していなければ、Ｓ２２のステップに戻る。一方、ここで、待機動作に入って所定の時間を経過していれば、コントローラ８は、レーザ駆動回路７及び反転回路１２に指令を出して、半導体レーザ５の再生用パワーを第２レベルとし（Ｓ３０）、かつ、サーボ極性を反転して（Ｓ３１）、スティル動作（待機動作）を行う（Ｓ３２）。
【０１３２】
これにより、磁気ヘッド４及び半導体レーザ５は、磁気信号のみによって同一トラック上で粗いトラッキングを行いながらスティル動作を続ける。再生用パワーを第２レベルとすることで、サーボ信号のＳ／Ｎ比は低くなり、記録／再生は不可能であるが、同一トラック上をスティルすることは可能である。
【０１３３】
そのあと、コントローラ８は、さらに、再生用パワーを第２レベルとしてから、所定の時間（第２期間）が経過したか否かを判断する（Ｓ３３）。経過していなければ、アクセス或いは記録／再生動作へ移行するかを否か、つまり、アクセス或いは記録／再生のコマンドを受けたかどうかを判断する（Ｓ３４）。
【０１３４】
そして、ここで、コマンドを受け取って、アクセス或いは記録／再生動作へ移行する場合は、上記したＳ２３のステップに移行する。一方、アクセス或いは記録／再生のコマンドを受けていなければ、そのままスティル動作を続ける（Ｓ３２）。
【０１３５】
一方、Ｓ３３において、アクセス或いは記録／再生動作へ移行してから、所定の時間が経過したと判断すると、磁気ヘッド４及び半導体レーザ５、つまり、これらを搭載したスライダ３を光アシスト磁気ディスク２上から、或いは記録領域から退避し（Ｓ３５）、光アシスト磁気ディスク２の回転を停止してスリープ状態に移る。
【０１３６】
次に、アクセス或いは記録／再生動作へ移行するかを否か、つまり、アクセス或いは記録／再生のコマンドを受けたかどうかを判断し（Ｓ３６）、そうでなければ再びそのままスリープ状態を継続する（Ｓ３５）。一方、Ｓ３６でコマンドを受け取って、アクセスか或いは記録／再生動作に移る場合は、上記したＳ２３のステップに移行する。
【０１３７】
このように、本実施の形態の光アシスト磁気記録装置では、スティル動作が所定時間（第１期間）を経過した時は、半導体レーザ５の再生用パワーを第２レベルとしてオフするか或いは低下させるので、消費電力を低減できる。また、発熱や半導体レーザ５の劣化を抑えた信頼性の高い装置を提供できる。
【０１３８】
さらに、半導体レーザ５の再生用パワーを第２レベルとして後にスティル状態が所定時間（第２期間）を経過したときは、磁気ヘッド４半導体レーザ５を搭載したスライ３を光アシスト磁気ディスク２上から、或いは記録領域から退避してスリープ状態に移るので、さらに消費電力を低減することができる。
【０１３９】
〔実施の形態３〕
本発明のさらに他の実施の形態について、図７を用いて説明する。なお、説明の便宜上、実施の形態１、２で用いたと同じ機能を有する部材には同じ符号を付して説明を省略する。
【０１４０】
本実施の形態の光アシスト磁気記録装置も、構成的には実施の形態１，２の光アシスト磁気記録装置とほぼ同一であり、動作フローも同じである。異なる点は、コントローラ８に、本発明における光強度断続復帰手段としての機能が追加されている点である。
【０１４１】
図７を用いて、本光アシスト磁気記録装置の特徴的な動作を説明する。光アシスト磁気ディスク２上のあるトラックＭ（Ｍ番目のトラック）における、あるセクタＮ（Ｎ番目のセクタ）の構成は、アドレス部（アドレス領域）３１とデータ部（データ領域）３２とからなっている。なお、Ｎ＋１番目以降或いはＮ−１番目以前のセクタも同一構成とする。また、Ｍ＋１番目以降或いはＭ−１番目以前のトラックも同一構成とする。
【０１４２】
上記アドレス部３１には、セクタマークやサーボマーク、番地情報が記録され、データ部３２には情報本体であるデータ情報が記録される。
【０１４３】
上述したように、本光アシスト磁気記録装置では、待機時、半導体レーザ５の再生用パワーを第２レベルとしてオフするか或いはパワーを下げ、サーボ極性を反転して、スティル動作（待機状態）を行うようになっている。この場合、磁気信号のみによって同一トラック上（トラックＭ）で粗いトラッキングを行いながらスティル動作を続けることとなる。サーボ信号のＳ／Ｎ比は低く、記録／再生は不可能であるが、同一トラック上をスティルすることは可能である。
【０１４４】
しかしながら、Ｓ／Ｎ比が低いためトラック跳びが生じ、所望のトラックＭからずれるという不具合が発生することがある。このとき、アドレス部３１の番地情報を再生してもＳ／Ｎ比が低いため、正確な番地を得ることができない。
【０１４５】
そこで、本光アシスト磁気記録装置では、レーザ駆動波形３３に示すように、再生用パワーを第２レベルで推移させている期間において、断続的に再生用パワーを上げて第１レベルに戻すようにしている。図７では、セクタＮ及びＮ＋５において、第１レベルに復帰させている。
【０１４６】
断続的に再生用パワーを第１レベルに戻すことで、この第１レベルで光照射している期間だけ磁気信号のＳ／Ｎ比を上げることができる。本光アシスト磁気記録装置では、この期間だけサーボ極性を正転して、番地情報を正確に再生するようにしている。
【０１４７】
具体的には、複数のセクタ毎（例えば４セクタ毎）に、１つのセクタで半導体レーザ５の再生用パワーを第１レベルに復帰させる。第１レベルに復帰させるセクタとセクタの間が長くなるほど、消費電力は削減できるが、トラック跳びを検出する能力が低下する。つまり、消費電力とアクセス精度のトレードオフとなる。好ましくは、光アシスト磁気ディスク２の０．１〜１０回転に一回の割合で、ある一つのセクタの番地情報を読み出すことである。
【０１４８】
これにより、消費電力を抑えながら、通常のアクセスや記録／再生動作に復帰する際に、より正確に高速に復帰することが可能となる。
【０１４９】
なお、ここでは、記録再生装置について述べたが、データ情報の再生を行わずデータ情報の記録のみを行う装置においても、サーボマークを読み出す瞬間だけ再生パワーを上げて高いＳ／Ｎ比を得て精密なトラッキングを行いながらアクセスし、所望のデータ部にデータ情報を記録し、これ以外の待機時或いは粗アクセス時は、上記実施例と同様に再生用パワーを下げて消費電力を下げるようにすればよい。したがって、この装置での再生動作の定義は、サーボマークを再生のみとなる。つまり、データ情報の記録のみを行う装置においても、本発明は適宜、適用可能である。
【０１５０】
〔実施の形態４〕
本発明のさらに他の実施の形態について、図８および図１０を用いて説明する。
【０１５１】
本実施の形態の光アシスト磁気記録装置も、構成的には実施の形態１，２の光アシスト磁気記録装置とほぼ同一であり、動作フローもほぼ同じである。異なる点は、コントローラ８が、サーボマーク領域走査時における光強度が常に第１レベルとなるように、レーザ駆動回路７を制御する点である。そして、これに伴いサーボ極性を反転させる必要がなくなるので、本光アシスト磁気記録装置は、反転回路１２を具備せず、サーボ極性の反転・正転のステップも持たないものとなっている。なお、この効果が得られるのは、上述の通り、光アシスト磁気ディスク２が、補償温度を室温以上とする磁性体を使った光アシスト磁気ディスクである場合となる。そうでない光アシスト磁気記録の場合は、本来、極性反転は必要ない。
【０１５２】
図８は、本実施の形態における情報記録装置である光アシスト磁気記録装置の構成を示すブロック図である。実施の形態１における図１の光アシスト磁気記録装置との違いは、反転回路１２を具備していない点である。
【０１５３】
図９を用いて、本光アシスト磁気記録装置の特徴的な動作を説明する。光アシスト磁気ディスク２上のあるトラックＭ（Ｍ番目のトラック）における、あるセクタＮ（Ｎ番目のセクタ）の構成は、ヘッダ部８５（ヘッダ領域）とデータ部８２（データ領域）とからなっている。さらに、ヘッダ部８５は、サーボマーク部８４（サーボマーク領域）と、アドレス部８１（アドレス領域）とからなっている。なお、Ｎ＋１番目以降或いはＮ−１番目以前のセクタも同一構成とする。また、Ｍ＋１番目以降或いはＭ−１番目以前のトラックも同一構成とする。
【０１５４】
上記ヘッダ部８５には、この他にセクタマーク部（セクタマーク領域）、レーザパワー（あるいはレーザ強度）校正部（レーザパワー校正領域）などが含まれてもよい。サーボマーク部８４にはサーボマークが記録され、アドレス部８１には番地情報が記録され、データ部８２には情報本体であるデータ情報が記録される。
【０１５５】
前述の実施の形態３では、待機時、半導体レーザ５の再生用パワーを第２レベルとしてオフするか或いはパワーを下げ、サーボ極性を反転して、スティル動作（待機状態）を行うようになっており、また、その間、断続的に再生用パワーを第２レベルから第１レベルに復帰させる期間を設け、この再生用パワーが高い期間で、Ｓ／Ｎ比の高いサーボマークを再生している。
【０１５６】
しかしながら、この場合でも、再生用パワーを第１レベルに復帰させている期間が短く、この期間以外ではＳ／Ｎ比が低い。そのためにトラック跳びが生じ、所望のトラックＭからずれるという不具合を発生する恐れがある。
【０１５７】
そこで、本実施の形態の光アシスト磁気記録装置では、図９のレーザ駆動波形８３に示すように、サーボマーク部８４走査時は、常に再生用パワーを上げて第１レベルとする。そして、その他のアドレス部８１の番地情報やデータ部８２の走査時は、番地情報やデータ情報の再生が不要な場合、つまり、粗アクセス時や待機時等のデータ部８２の再生が不要な時は、再生用パワーを第２レベルとし、密アクセス時や記録再生時等のアドレス部８１の番地情報やデータ部８２のデータ情報を再生する場合は、破線８６で示すように第１レベルに復帰させるようになっている。アクセス
サーボマーク部８４において常に第１レベルとすることにより、この第１レベルで光照射している期間だけ磁気信号のＳ／Ｎ比を上げることができ、高いＳ／Ｎ比によりトラッキング誤差信号を得ることで、常に高い精度のトラッキングを維持することができる。また、常に第１のレベルによってサーボマークを再生するため、サーボ極性を切り換える必要もない。
【０１５８】
データ部８２の走査においては、データの記録再生が必要な場合は、光強度を第１レベルとするものの、データの記録再生が不要な場合は光強度を第２のレベルとするので、消費電力を下げることができる。なお、記録時は、記録マークを形成する時のみ、第１レベルよりもさらに強いレベルとされる。
【０１５９】
また、複数のサーボマーク部８４によって挟まれたデータ部８２の走査時にも、高い精度のトラッキングは維持されているため、データ部８２において瞬時にデータの記録再生動作を行うことができる。低い精度のトラッキングを行っている場合は、高い精度に移るまでのサーボ動作に時間がかかり、瞬時に記録再生動作に移れないことはいうまでもない。
【０１６０】
なお、ここでは、記録再生装置について述べたが、データ情報の再生を行わずデータ情報の記録のみを行う装置においても、サーボマーク部８４を読み出す瞬間だけ再生パワーを上げて高いＳ／Ｎ比を得て精密なトラッキングを行いながらアクセスし、所望のデータ部にデータ情報を記録し、これ以外の待機時或いは粗アクセス時は、上記実施例と同様に再生用パワーを下げて消費電力を下げるようにすればよい。したがって、この装置での再生動作の定義は、サーボマークの再生のみとなる。つまり、データ情報の記録のみを行う装置においても、本発明は適宜、適用可能である。
【０１６１】
次に、図１０を用いて、さらなる別の実施の形態の光アシスト磁気記録装置について説明する。この光アシスト磁気記録装置では、コントローラ８が、サーボマーク部の走査時だけでなく、サーボマーク領域とアドレス領域とを少なくとも含むヘッダ部の走査時における光強度が常に第１レベルとなるように、レーザ駆動回路７を制御する。この点が、上で述べた光アシスト磁気記録装置と異なる。なお、図１０において、トラック、セクタ、アドレス部、データ部の構成は図９と同一である。
【０１６２】
本光アシスト磁気記録装置では、図１０のレーザ駆動波形９３に示すように、ヘッダ部８５走査時は、常に再生用パワーを上げて第１レベルとする。そして、データ部８２の走査時は、番地情報やデータ情報の再生が不要な場合、つまり、粗アクセス時や待機時等のデータ部８２の再生が不要な時は、再生用パワーを第２レベルとし、密アクセス時や記録再生時等のデータ部８２のデータ情報を再生する場合は、破線９６で示すように第１レベルに復帰させるようになっている。
【０１６３】
ヘッダ部８５において常に第１レベルとすることにより、この第１レベルで光照射している期間だけ磁気信号のＳ／Ｎ比を上げることができ、高いＳ／Ｎ比によりトラッキング誤差信号を得ることで、常に高い精度のトラッキングを維持することができる。また、第１のレベルによってサーボマークを再生するため、サーボ極性を切り換える必要もない。そして、ここでは、サーボマークだけでなくアドレス部８１も第１レベルの光照射によって読み取られるので、常に高いＳ／Ｎ比によって番地情報を読み出すことがでる。
【０１６４】
データ部８２の走査においては、データの記録再生が必要な場合は、光強度を第１レベルとするものの、データの記録再生が不要な場合は光強度を第２のレベルとするので、消費電力を下げることができる。なお、記録時は、記録マークを形成する時のみ、第１レベルよりもさらに強いレベルとされる。
【０１６５】
また、複数のヘッダ部８５によって挟まれたデータ部８２の走査時にも、高い精度のトラッキングは維持されると共に、番地情報が常に再生されているため、データ部８２において番地情報を確認しながら瞬時にデータの記録再生動作を行うことができる。番地情報が確認できない場合は、再度番地情報を確認するまでに時間がかかり、瞬時に記録再生動作に移れないことはいうまでもない。
【０１６６】
なお、ここでは、記録再生装置について述べたが、データ情報の再生を行わずデータ情報の記録のみを行う装置においても、ヘッダ部を読み出す瞬間だけ再生パワーを上げて高いＳ／Ｎ比を得て精密なトラッキングを行いながらアクセスし、所望のデータ部にデータ情報を記録し、これ以外の待機時或いは粗アクセス時は、上記実施例と同様に再生用パワーを下げて消費電力を下げるようにすればよい。したがって、この装置での再生動作の定義は、ヘッダ部の再生のみとなる。つまり、データ情報の記録のみを行う装置においても、本発明は適宜、適用可能である。
【０１６７】
なお、本実施の形態では、サーボマーク部走査時、或いはヘッダ部走査時は常に第１レベルとする構成を、待機時及び粗アクセス時等に、半導体レーザ５の光強度を第２レベルに落とす構成との組み合わせで述べた。しかしながら、必ずしも該構成との組み合わせである必要はなく、上記のように、少なくとも第１と第２の２つのレベルを具備し、そのうちのＳ／Ｎ比が低くなる第２レベルを、サーボマーク部、ヘッダ部の走査時には用いずに、サーボマーク部、ヘッダ部の走査を常に第１レベルの光照射で行う構成とすることで、サーボ極性の反転を考慮せずともよくなり、かつ、精度の高いトラッキングを常に維持し得るということである。
【０１６８】
【発明の効果】
本発明の第１の磁気情報装置は、以上のように、記録媒体に光を照射しながら、磁気ヘッドを用いて情報を磁気的に記録及び／又は再生し、かつ、光照射部位より再生される磁気信号をトラッキングに用いる磁気情報装置であって、磁気信号を再生するために記録媒体に照射される光の強度を切り換える光強度制御手段が設けられていることを特徴としている。
【０１６９】
ここで、第１レベルとは、第１レベルで光照射されている部位より再生した磁気信号を用いて精密なトラッキングサーボを実施できるような、高Ｓ／Ｎ比の磁気信号を得ることのできる光強度である。一方、第２レベルとは、第２レベルで光照射されている部位より再生した磁気信号が低Ｓ／Ｎ比となってもかまわないから光源の消費電力を抑えるために使用する強度である。第２レベルの強度は、少なくとも第１レベルよりも弱ければ、消費電力を抑えることができる。
【０１７０】
これにより、高い精度のトラッキングが必要な記録／再生時等のみ、光強度を第１レベルとし、待機時等の精度の低いトラッキングでも良い場合は、光強度を第２レベルに引き下げるといった、消費電力の高い精度の高いトラッキングと、消費電力の小さい精度の低いトラッキングとを、必要に応じて選択的に実施することが可能となる。
【０１７１】
その結果、磁気信号を再生するにおいて常に第１レベルで光照射を行い、精度の高いトラッキングを行う構成に比べて、消費電力を効果的に削減することができる。しかも、記録／再生が指示された場合は、光照射を第１レベルに切り換えるだけで、記録／再生動作を行える状態に高速復帰できるので、装置の高速動作に支障を来たすことがない。
【０１７２】
本発明の第２の磁気情報装置は、以上のように、記録媒体に光を照射しながら、磁気ヘッドを用いて情報を磁気的に記録及び／又は再生し、かつ、光照射部位より再生される磁気信号をトラッキングに用いる磁気情報装置であって、磁気信号を再生するために記録媒体に照射される光の強度を、必要なトラッキング精度に応じて切り換える光強度制御手段が設けられていることを特徴としている。
【０１７３】
これによれば、光強度制御手段が、磁気信号を再生するために記録媒体に照射される光の強度を、必要なトラッキング精度に応じて切り換えるようになっている。
【０１７４】
したがって、消費電力の高い高精度のトラッキングと、消費電力の小さい低精度のトラッキングとを、必要なトラッキング精度に応じて実施することが可能となる。
【０１７５】
その結果、磁気信号を再生するにおいて常に精度の高いトラッキングを行い得る光強度で光を照射する構成に比べて、消費電力を効果的に削減することができ、かつ、記録／再生が指示された場合にも、光強度を上げるだけで、記録／再生動作を行える状態に高速復帰できるため、高速動作に支障を来たすこともないという効果を奏する。
【０１７６】
本発明の第３の磁気情報装置は、以上のように、記録媒体に光を照射しながら、磁気ヘッドを用いて情報を磁気的に記録及び／又は再生し、かつ、光照射部位より再生される磁気信号をトラッキングに用いる磁気情報装置であって、磁気信号を再生するために記録媒体に照射される光の強度を、精度の高いトラッキング動作を行い得る第１レベルと、該第１レベルよりも低い第２レベルとに切り換える光強度制御手段が設けられていることを特徴としている。
【０１７７】
これによれば、光強度制御手段が、磁気信号を再生するために記録媒体に照射される光の強度を、精度の高いトラッキング動作を行い得る第１レベルと、該第１レベルよりも低い第２レベルとに切り換えるようになっている。
【０１７８】
したがって、高い精度のトラッキングが必要な記録／再生時等のみ、光強度を第１レベルとし、待機時等の精度の低いトラッキングでも良い場合は、光強度を第２レベルに引き下げるといった、消費電力の高い精度の高いトラッキングと、消費電力の小さい精度の低いトラッキングとを、必要に応じて選択的に実施することが可能となる。
【０１７９】
その結果、磁気信号を再生するにおいて常に第１レベルで光照射を行い、精度の高いトラッキングを行う構成に比べて、消費電力を効果的に削減することができ、かつ、記録／再生が指示された場合にも、光照射を第１レベルに切り換えるだけで、記録／再生動作を行える状態に高速復帰できるという効果を奏する。
【０１８０】
また、第１〜第３の磁気情報装置においては、さらに、上記構成に加えて、上記光強度制御手段は、サーボマーク領域走査時における光強度を常に第１レベルとし、データ領域走査時における光強度を、記録及び／又は再生時は第１レベル、記録及び／又は再生時以外は上記第１レベルよりも低い第２レベルとすることもできる。
【０１８１】
これによれば、サーボマーク領域を常に第１のレベルの光照射によって走査するため、サーボマークを高いＳ／Ｎ比によって読み出すことができる。したがって、常に高い精度のトラッキングを維持することができる。
【０１８２】
また、データ領域の走査においては、データの記録再生が必要な場合は、光強度を第１レベルとされるが、データの記録再生が不要な場合は光強度を第２のレベルとして走査するので消費電力を下げることができる。なお、記録時に第１レベルとするのはあくまで磁気信号を再生するためのレベルであり、記録マークを形成するときは、さらに強いレベルに引き上げられることとなる。
【０１８３】
そして、複数のサーボ領域によって挟まれたデータ領域の走査時にも、高い精度のトラッキングは維持されているため、データ領域において瞬時にデータの記録再生動作を行うことができる。低い精度のトラッキングが行われている場合は、高い精度のトラッキングに移るまでのサーボ動作に時間がかかり、瞬時に記録再生動作に移れないことはいうまでもない。
【０１８４】
また、上記第１〜第３の磁気情報装置においては、さらに、上記構成に加えて、上記光強度制御手段は、ヘッダ領域走査時における光強度を常に第１レベルとし、データ領域走査時における光強度を、記録及び／又は再生時は第１レベル、記録及び／又は再生時以外は上記第１レベルよりも低い第２レベルとすることもできる。
【０１８５】
これによれば、ヘッダ領域を常に第１のレベルの光照射によって走査するため、この領域に含まれるサーボマークとアドレス情報を高いＳ／Ｎ比によって読み出すことができる。したがって、常に高い精度のトラッキングを維持することができると共に、常にアドレス情報を再生することができる。
【０１８６】
また、データ領域の走査においては、データの記録再生が必要な場合は、光強度を第１レベルとされるが、データの記録再生が不要な場合は光強度を第２のレベルとして走査するので消費電力を下げることができる。なお、記録時に第１レベルとするのはあくまで、磁気信号を再生するためのレベルであり、記録マークを形成するときは、さらに強いレベルに引き上げられることとなる。
【０１８７】
そして、複数のヘッダ領域によって挟まれたデータ領域の走査時にも、高い精度のトラッキングが維持されると共に、番地情報が常に再生されているため、番地情報は瞬時に確認でき、データ領域において番地情報を確認しながら瞬時にデータの記録再生動作を行うことができる。番地情報が確認できない場合は、再度番地情報を確認するまでに時間がかかり、瞬時に記録再生動作に移れないことはいうまでもない。
【０１８８】
本発明の第４の磁気情報装置は、以上のように、記録媒体に光を照射しながら、磁気ヘッドを用いて情報を磁気的に記録及び／又は再生し、かつ、光照射部位より再生される磁気信号をトラッキングに用いる磁気情報装置であって、記録及び／又は再生時及び密アクセス時に、光強度を第１レベルとする一方、待機時及び粗アクセス時に、光強度を該第１レベルよりも低い第２レベルとする光強度制御手段が設けられていることを特徴としている。
【０１８９】
これによれば、光強度制御手段が、記録／再生時及び密アクセス時に、磁気信号を再生するための光強度を第１レベルとし、待機時及び粗アクセス時には、第２レベルとするようになっている。
【０１９０】
したがって、精度の高いトラッキングが必要な記録／再生時と密アクセス時には、光照射が第１レベルで行われる結果、トラッキングサーボを伴う精度の高いトラッキングを実施でき、また、待機時と粗アクセス時には、光照射が第２レベルで実施されることとなり、効果的に消費電力を削減することができる。
【０１９１】
その結果、消費電力の高い精度の高いトラッキングと、消費電力の小さい精度の低いトラッキングとの組み合わせを最適化して、動作速度を遅くすることなく消費電力の削減をより効果的に実現することができるという効果を奏する。
【０１９２】
本発明の第３、第４の磁気情報装置は、さらに、上記構成に加えて、上記光強度制御手段が光強度を第２レベルとしている期間、トラッキングサーボの極性を反転させるサーボ極性反転手段が設けられていることを特徴とすることもできる。
【０１９３】
これによれば、サーボ極性反転手段にて、上記光強度制御手段が光強度を第２レベルとしている期間は、トラッキングサーボの極性を反転させるようになっている。
【０１９４】
その結果、第２レベルで光照射され、補償温度より低い部位より再生した磁気信号より得たトラッキング誤差信号であっても、サーボ極性を切り換えることで、常に負帰還させることができ、正常なトラッキングを行うことができるという効果を併せて奏する。
【０１９５】
本発明の第３、第４の磁気情報装置は、さらに、上記構成に加えて、上記光強度制御手段が光強度を第２レベルとしている期間、上記磁気信号の極性を反転する磁気信号反転手段が設けられていることを特徴とすることもできる。
【０１９６】
これによれば、磁気信号反転手段にて、上記光強度制御手段が光強度を第２レベルとしている期間は、磁気信号の極性を反転させるようになっている。
【０１９７】
その結果、第２レベルで光照射され、補償温度より低い部位より再生した磁気信号であっても、磁気信号の極性を反転させることで、容易にトラッキングサーボの極性を反転することができ、トラッキング誤差信号を負帰還させて正常なトラッキングを行うことができるという効果を併せて奏する。
【０１９８】
また、磁気信号を反転させることで、磁気信号に含まれる情報を読み取ったデータ信号の極性を正常に戻すことができる。したがって、第２レベルで光照射されている部位より再生した磁気信号であって、低Ｓ／Ｎ比であるが故に番地情報やデータの再生はできなくとも、セクタマークの検出や、クロック抽出のためのＰＬＬのロック動作を維持することはできるという効果を併せて奏する。
【０１９９】
本発明の第３、第４の磁気情報装置においては、さらに、上記構成に加えて、上記光強度制御手段が光強度を第２レベルとしている期間、断続的に光強度を第１レベルに戻す光強度断続復帰手段が設けられていることを特徴とすることもできる。
【０２００】
これによれば、光強度断続復帰手段にて、光強度制御手段が光強度を第２レベルとしている間も、断続的に光強度が第１レベルに戻される。したがって、断続的に第１レベルに戻された際の再生されたＳ／Ｎ比の高い磁気信号より、番地情報を読み取るなどが可能となり、光強度を第２レベルで推移させている省電力期間においても、高精度のトラッキングを実施することができる。つまり、省電力期間に、トラック跳びが生じても、断続的に得られる高Ｓ／Ｎ比の磁気信号より、番地情報を確認する等して速やかに元のトラックに復帰することができる。
【０２０１】
これにより、消費電量を削減しながら、記録／再生が指示された場合に、より高速に記録／再生動作に復帰することができるという効果を奏する。
【０２０２】
本発明の第４の磁気情報装置においては、さらに、上記構成に加えて、上記光強度制御手段は、サーボマーク領域走査時における光強度を常に第１レベルとすることを特徴とすることもできる。
【０２０３】
これによれば、サーボマーク領域を常に第１のレベルの光照射によって走査するため、サーボマークを高いＳ／Ｎ比によって読み出すことができる。したがって、光強度が第２レベルに落とされる待機時及び粗アクセス時においても、サーボマークだけは第１レベルの光照射によって読み出されるので、常に高い精度のトラッキングを維持することができる。
【０２０４】
そして、複数のサーボ領域によって挟まれたデータ領域の走査時にも、高い精度のトラッキングは維持されている。このため、データ領域において瞬時にデータの記録再生動作を行うことができる。低い精度のトラッキングが行われている場合は、高い精度のトラッキングに移るまでのサーボ動作に時間がかかり、瞬時に記録再生動作に移れないことはいうまでもない。
【０２０５】
本発明の第４の磁気情報装置においては、さらに、上記構成に加えて、上記光強度制御手段は、ヘッダ領域走査時における光強度を常に第１レベルとすることを特徴とすることもできる。
【０２０６】
これによれば、ヘッダ領域を常に第１のレベルの光照射によって走査するため、サーボマークとアドレス情報とを高いＳ／Ｎ比によって読み出すことができる。したがって、光強度が第２レベルに落とされる待機時及び粗アクセス時においても、ヘッダ領域だけは第１レベルの光照射によって読み出されるので、常に高い精度のトラッキングを維持することができると共に、常にアドレス情報を再生することができる。
【０２０７】
そして、複数のヘッダ領域によって挟まれたデータ領域の走査時にも、高い精度のトラッキングが維持されると共に、番地情報が常に再生されているため、番地情報は瞬時に確認でき、データ領域において番地情報を確認しながら瞬時にデータの記録再生動作を行うことができる。番地情報が確認できない場合は、再度番地情報を確認するまでに時間がかかり、瞬時に記録再生動作に移れないことはいうまでもない。
【０２０８】
本発明の第３、第４の磁気情報装置は、さらに、上記構成に加えて、情報の記録及び／又は再生、及びアクセスを行うための通常動作状態と、上記光強度制御手段にて光強度を第２レベルとしてスティルサーボを行う待機動作状態と、磁気ヘッドを退避させると共に、記録媒体の回転を停止する退避動作状態とを選択する動作状態切換手段が設けられ、上記動作状態切換手段は、通常動作状態の終了から第１期間内に通常動作の指示が与えられない場合は待機動作状態へと移行し、待機動作状態開始から第２期間内に通常動作の指示が与えられない場合は、退避動作状態へと移行することを特徴とすることもできる。
【０２０９】
これによれば、動作状態切換手段が、情報の記録／再生及びアクセスを行うための通常動作状態が終了してから、通常動作の指示が与えられないまま所定の期間（第１期間）が経過すると、光強度を第２レベルとしてスティルサーボを行う待機動作状態に移行させる。そして、待機動作状態に移行してからも、さらに通常動作の指示が与えられないまま所定の期間（第２期間）が過ぎると、磁気ヘッドを退避させると共に、記録媒体の回転を停止する退避動作、いわゆるスリープ状態へと移行させる。
【０２１０】
したがって、照射光の光強度を低下させることによる消費電力の削減に加えて、通常動作の指示が長い間与えられない場合に、さらに磁気ヘッドを退避して、記録媒体の回転をも停止させる完全なスリープ状態に移行することにより、消費電力をさらに削減することができるという効果を併せて奏する。
【図面の簡単な説明】
【図１】本発明の実施の一形態を示すもので、磁気情報装置としての光アシスト磁気記録装置の構成を示すブロック図である。
【図２】上記光アシスト磁気記録装置の動作を示すフローチャートである。
【図３】上記光アシスト磁気記録装置にて扱われる記録媒体としての光アシスト磁気ディスクのトラックに形成されている、サーボマークと記録マークとを示す説明図である。
【図４】（ａ）（ｂ）共に、上記光アシスト磁気記録装置において光アシスト磁気ディスクから読み出した磁気信号の波形図である。
【図５】（ａ）（ｂ）共に、上記光アシスト磁気記録装置において光アシスト磁気ディスクから読み出した磁気信号の波形図である。
【図６】本発明のその他の実施の形態を示すもので、磁気情報装置としての光アシスト磁気記録装置の動作を示すフローチャートである。
【図７】本発明のさらに他の実施の形態を示すもので、光アシスト磁気記録装置における動作を示す図である。
【図８】本発明のさらに他の実施の形態を示すもので、磁気情報装置としての光アシスト磁気記録装置の構成を示すブロック図である。
【図９】図８の光アシスト磁気記録装置における動作を示す図である。
【図１０】本発明のさらに他の実施の形態を示すもので、光アシスト磁気記録装置における動作を示す図である。
【符号の説明】
１　　サスペンション
２　　光アシスト磁気ディスク（記録媒体）
３　　スライダ
４　　磁気ヘッド
５　　半導体レーザ
６　　アクチュエータ
７　　レーザ駆動回路（光強度制御手段）
８　　コントローラ（光強度制御手段、サーボ極性反転手段、磁気信号反転手段、動作状態切換手段、光強度断続復帰手段）
９　　アクセス回路
１０　　記録回路
１１　　アンプ
１２　　反転回路（サーボ極性反転手段、磁気信号反転手段）
１３　　サーボ回路
１４　　再生回路
８１　　アドレス部（アドレス領域）
８２　　データ部（データ領域）
８４　　サーボマーク部（サーボマーク領域）
８５　　ヘッダ部（ヘッダ領域）
【図１】
2004111015.tif 000003
【図２】
2004111015.tif 000004
【図３】
2004111015.tif 000005
【図４】
2004111015.tif 000006
【図５】
2004111015.tif 000007
【図６】
2004111015.tif 000008
【図７】
2004111015.tif 000009
【図８】
2004111015.tif 000010
【図９】
2004111015.tif 000011
【図１０】
2004111015.tif 000012